(57)【特許請求の範囲】
【請求項１】
多数の刃孔が設けられた仕上げ用の主刃と、主刃の近傍に配され、且つ刃先は主刃から遠ざかる方向に向けられたトリマー刃と、トリマー刃の刃先の方向側で且つトリマー刃と平行に設けられトリマー刃の肌に対する面圧を頂部で規制する肌当たりガイドが設けられた往復式電気かみそりにおいて、トリマー刃がフロート自在であり、トリマー刃のトリマーカバーの先端よりトリマー刃の可動刃の先端を通る線に肌当たりガイドの頂部が位置する状態を下支点としてそれより上の範囲で肌当たりガイドがトリマー刃に対して相対的にフロート自在に支持されたことを特徴とする往復式電気かみそり。
【請求項２】
トリマー刃がフロート自在とされ、肌当たりガイドがトリマー刃に相対的にフロート自在に支持され、トリマー刃のフロート力より肌当たりガイドのフロート力を小さくしたことを特徴とする請求項１記載の往復式電気かみそり。
【請求項３】
肌当たりガイドが所定の高さまでフロートした後、トリマー刃がそれに追随して一体にフロートすることを特徴とする請求項１記載の往復式電気かみそり。
【請求項４】
肌当たりガイドのフロート力は弾性を有するフックで付与されるものであることを特徴とする請求項１記載の往復式電気かみそり。
【発明の詳細な説明】
【０００１】
【発明の属する技術分野】
本発明は、多数の刃孔が設けられた仕上げ用の主刃と、主刃の近傍に配され、且つ刃先は主刃から遠ざかる方向に向けられたトリマー刃と、トリマー刃の刃先の方向にトリマー刃の肌に対する面圧を規制する肌当たりガイドを有した往復式電気かみそりに関するものである。
【０００２】
【従来の技術】
従来より、往復式電気かみそりとして例えば、特開平４−２３１９９４号公報に示されるように主刃とトリマー刃の肌への密着を良くするためにトリマー刃を上下動自在にフロート支持するようにしたものがある。このものは一定の当て角度で使用した場合には確かにトリマー刃と主刃が肌面に密着し、肌当たりも良いものである。
【０００３】
【発明が解決しようとする課題】
ところが、従来では肌当たりガイドが刃フレームと一体に形成されているため、トリマー刃がフロートすることによって肌当たりガイドとの最適な高さ関係が保たれなくなり、毛の導入性能が悪くなってしまうという問題があった。
本発明は上記問題点の解決を目的とするものであり、肌当たりガイドがフロート可能に支持され、肌当たりガイドのフロート下死点が狙いの高さまでに規定されているために肌当たりが良く、肌面の傾斜や凹凸にもトリマー刃が追従し、短く剃れて剃り残しもなく、また、トリマー刃を肌面に当てるときの衝撃が肌当たりガイドのフロートによって護られ刺激もないために肌に対して安全な往復式電気かみそりを提供しようとするものである。
【０００４】
【課題を解決するための手段】
上記目的を達成するために、請求項１の発明では、多数の刃孔が設けられた仕上げ用の主刃１と、主刃１の近傍に配され、且つ刃先は主刃１から遠ざかる方向に向けられたトリマー刃２と、トリマー刃２の刃先の方向側で且つトリマー刃２と平行に設けられトリマー刃２の肌に対する面圧を頂部で規制する肌当たりガイド３が設けられた往復式電気かみそりにおいて、トリマー刃２がフロート自在であり、トリマー刃２のトリマーカバー２２の先端よりトリマー刃２の可動刃２１の先端を通る線に肌当たりガイド３の頂部が位置する状態を下支点としてそれより上の範囲で肌当たりガイド３がトリマー刃２に対して相対的にフロート自在に支持されたことを特徴とするものであり、肌面にトリマー刃２を当てたときの衝撃が肌当たりガイド３によって和らげられる為に刺激がなく肌当たりも良くすることができる。
【０００５】
請求項２の発明では、請求項１においてトリマー刃２がフロート自在とされ、肌当たりガイド３がトリマー刃２に相対的にフロート自在に支持され、トリマー刃２のフロート力より肌当たりガイド３のフロート力を小さくしたことを特徴とするものであり、肌当たりガイド３によって毛の導入が悪くなることがないために肌面の凹凸や傾斜に関係なく剃り残りなく短く剃ることができる。
【０００６】
請求項３の発明では、請求項１において肌当たりガイド３が所定の高さまでフロートした後、トリマー刃２がそれに追随して一体にフロートすることを特徴とするものであり、肌面の凹凸にもトリマー刃２が追従するために剃り残しがなく、効率良く毛を剃り上げることができる。
請求項４の発明では、請求項１において肌当たりガイド３のフロート力は弾性を有するフック３ａで付与されるものであることを特徴とするものであり、構造が簡単で組み立て易いものとすることができる。
【０００７】
【発明の実施の形態】
本発明における往復式電気かみそりは、図１乃至図９に示されるようにモータを内蔵した本体５の上端に刃フレーム４を介して主刃１における外刃１０と、その内面に摺接する内刃８と、一対のトリマー刃２，２が取り付けられたものであり、各トリマー刃２，２はトリマーカバー２２の下面に固定刃２０と可動刃２１及び固定刃２０の可動刃２１を押し付ける押さえばね２３とを取り付けることで構成されており、これら主刃１とトリマー刃２とをそれぞれ独立して上下フロート自在に支持されたものとして構成されている。
【０００８】
主刃１の外刃１０は矩形枠状に形成された外刃枠９に取り付けられていて、この取り付けは外刃枠９から突設した複数個のボス９１を外刃１０の両側に設けた取り付け孔に挿入することで行われている。
このように外刃１０が取り付けられた外刃枠９は図３、図５に示されるように刃フレーム４に取り付けられる。この刃フレーム４は図５に示されるように上下に開口する長手形状の矩形筒状に形成され、その長手方向の両端の内壁面には係止突起１３と、この係止突起１３の下方に位置するストッパ１４とを備えている。
【０００９】
そして、長手方向両端に弾性片１５を有すると共に両端上面に平面部１６を有している外刃枠９を該刃フレーム４の下方側から押し込むことにより、外刃枠９の弾性片１５の先端がストッパ１４に接するようにして外刃枠９が刃フレーム４に対してがたつきなくフロート自在に取り付けられるものである。
一方、主刃１の内刃８は多数の内刃ブレード８１が内刃基台８８の上面に平行に並設されており、この内刃８は駆動子２００と連結駆動子２１０とによって往復駆動されるようになっている。
【００１０】
外刃枠９の側面にはボス１８が突設されており、このボス１８がトリマー刃２のトリマー基台３５に設けた係止溝６５に挿入されることにより、トリマー刃２のフロート時にボス１８が係合溝６５の上端に係止することで主刃１とトリマー刃２とが一体的にフロートできる構造となっている。尚、図５中符号１７は外刃枠９の取り外しを容易にするための指掛け突起であり、ボス１８と反対側に設けられている。
【００１１】
駆動子２００の上端部には連結駆動子２１０が連結されるようになっている。この連結駆動子２１０の両側面（各刃１，２の往復動方向の両面）には図６に示されるようにフック孔３０がそれぞれ形成されており、このフック孔３０に駆動子２００より突設したフック２８を上下方向に係合させることにより連結駆動子２１０は駆動子２００に対して上下フロート自在に連結されると共に、駆動子２００内には連結駆動子２１０を上方に常にバネ付勢するための圧縮コイルバネ２９が収納配置されている。
【００１２】
また、連結駆動子２１０の上端部には筒状の孔部３３ａが形成されており、内刃基台８８から突設させた球状の連結ボス３１を該連結駆動子２１０の孔部３３ａに上方から差し込んだ状態で連結駆動子２１０の上端に設けたフック３３が連結ボス３１に係止することで連結駆動子２１０は駆動子２００に対して抜け止め状態で連結され、これにより駆動子２００の揺動を連結駆動子２１０を介して内刃８に伝達して内刃８を往復駆動させるようになっている。さらに、連結駆動子２１０の両端面（各刃１，２の往復動方向と直交する方向の両面）には後述するトリマー刃２を駆動するための一対のＵ字状のリブ状となった伝達部２１１，２１１がそれぞれ一体に突設されており、この伝達部２１１はトリマー刃２が上下方向に所定量以上移動した際にこのトリマー刃２に追随して上下フロート自在の連結駆動子２１０を主刃１と共に上下移動させるようになっている。
【００１３】
次に、主刃１の両側に配される一対のトリマー刃２と、トリマー刃２の主刃１とは反対側に形成される肌当たりガイド３について説明する。
トリマー刃２は、図５に示されるようにトリマー基台３５と、トリマー基台３５の上面に嵌合突起３６との嵌合で固定される固定刃２０と、この固定刃２０の上面側に配されると共に嵌合突起３６によってスライド自在にガイドされる可動刃２１と、可動刃２１を固定刃２０側に押さえる押さえバネ２３と、カバー２２とから構成される。ＡＢＳ樹脂からなるカバー２２には、肌伸ばし用の弾性体（ウレタン系エラストマー）で構成されたリブ２２ａが二色成形等によって一体に形成されている。つまり、カバー２２とリブ２２ａとは融着されている。押さえバネ２３は、その垂直平板部３９がカバー２２にばね止め突起４０との係合で取り付けられており、トリマー基台３５の両端の突起３５１がカバー２２の孔２２ｂに取り付けられる時、垂直平板部３９がカバー２２とトリマー基台３５との間で挟持固定された状態で複数のばね片４２を可動刃２１の上面に接触させるようになっている。
【００１４】
肌当たりガイド３は図５に示されるように両端に一対のフック３ａ，３ａとＬ字形の一対のリブ３ｂ，３ｂを備えたものであり、図５における刃フレーム４の短手方向の内壁面に形成されている二対の係止溝４ａにフック３ａを差し込むようにしてある。ここで、フック３ａは上方向への抜け止めとなっている。
また、トリマー基台３５は、図５に示されるように下方に向けて一対の係止片４３，４３と一対の係止溝３５２，３５２とトリマー基台３５を上方へ付勢させるための押し上げバネ１００を取り付けるための一対のリブ１０１と、後述の肌当たりガイド３に係合される一対の弾性を有するフック３５４，３５４を備えたものであり、図４、図５に示されるように刃フレーム４における短手方向の内壁面に形成されている二対の係止溝４ｂ，４ｂに係止片４３，４３が差し込まれ、さらに、一方が刃フレーム４の上部側の係止溝４ａに差し込まれた肌当たりガイド３のフック３ａの他方がトリマー基台３５の係止溝３５１に差し込まれるようになっている。また、一方をトリマー基台３５のリブ１０１に取り付けられた押し上げバネ１００の他方は刃フレーム４に設けられた突起４１にそれぞれ係合されている。
【００１５】
ここで、肌当たりガイド３の一対のリブ３ｂにトリマー基台３５のフック３５４，３５４が係合されることで上方への抜け止めがされ、下方への抜け止めは、刃フレーム４の係止片４７を係止片４３の上端の壁に当てることで行われる。これによりトリマー基台３５が肌当たりガイド３と一体となったフロートが可能となっている。
【００１６】
さらに、可動刃２１を往復駆動させるためのトリマー駆動子６は、その上端部がトリマー基台３５に設けられた長孔３５５と固定刃２０に設けられた長孔２０ａを介して可動刃２１の角孔２１ａに係合される。一方、トリマー基台３５の略中央部に設けられたボス３５６にトリマー駆動子６の略中央にある孔６ａが係合される。尚、トリマー基台３５のボス３５６の両端にあるフック３５７，３５７はトリマー駆動子６に係合され、トリマー駆動子６の抜け止めをしている。
【００１７】
上記トリマー駆動子６の可動刃２１と反対側は、連結駆動子２１０のＵ字状のリブ２１１に上下方向に摺動自在に且つ着脱自在に係合されており、連結駆動子２１０が揺動を行う時、トリマー駆動子６の連結駆動子２１０に係合されているところは同方向の揺動をするが、トリマー基台３５のボス３５６を支点として可動刃２１は連結駆動子２１０とは反対方向に揺動される。
【００１８】
図７に示されるようにトリマー基台３５に設けられた弾性を有するフック３５４には傾斜部３５４ａと平面部３５４ｂが存在している。
肌当たりガイド３のトリマー刃２に対する初期高さはトリマーカバー２２の先端より可動刃２１の先端を通る延直線上ｍのライン以上のところｌの高さに位置し、肌当たりガイド３を肌に押し付けると肌当たりガイド３のＬ形のリブ３ｂがトリマー基台３５のフック３５４の傾斜部３５４ａに当たり、フック３５４が内側に倒れていく。さらに、Ｌ形のリブ３ｂがフック３５４の平面部３５４ｂに突き当たり、それ以上の押圧が加わるとトリマー刃２も同時にフロートする。このとき、肌当たりガイド３の高さはｍのラインの位置でトリマー刃２との一体フロートをするようになっている。
【００１９】
ここで、本来トリマー刃２への毛の導入を良くし、効率良く毛を切断するためにはトリマーカバー２２の先端と可動刃２１の先端を通る直線上ｍに肌当たりガイド３が存在するのが最も良い。なぜなら、図８に示されるように肌当たりガイド３によって毛が倒されていても肌を傷つけずに毛を切断することができる。ところが、肌当たりガイド３の初期高さがｍのライン上にあると腋等の肌のたわみ易いところでは押し当て方の衝撃が強いと肌が可動刃２１、固定刃２０側に撓んで入り込み傷をつけてしまう。したがって、所定の間隔として肌当たりガイド３の初期高さをｍのライン以上にすることによって押し当て方の衝撃が強くても肌当たりガイド３のフロートによって和らげられトリマー刃２の固定刃２０、可動刃２１への肌の入り込みを防止し、安全なトリマー刃２とすることができる。
【００２０】
また、ラインｍ上に肌当たりガイド３がフロートし、その後、トリマー刃２も一体フロートするため肌面の凹凸や傾斜にもトリマー刃２、主刃１が追従するため短く早剃りができ、肌当たりも良くすることができる。
このとき、フロート力をトリマー刃２よりも肌当たりガイド３の方を小さくすることで、肌当たりガイド３がラインｍより下がる前にトリマー刃２が下がることがないため、図１２に示されるように確実に毛を導入して切断することができ、剃り残しなく短く仕上げることができる。
【００２１】
また、前述のように肌当たりガイド３のフロート力を弾性を有するフック３５４で構成することによって構造が簡単となり、組み立て易くすることができるものである。
【００２２】
【発明の効果】
請求項１の発明は、トリマー刃がフロート自在であり、トリマー刃のトリマーカバーの先端よりトリマー刃の可動刃の先端を通る線に肌当たりガイドの頂部が位置する状態を下支点としてそれより上の範囲で肌当たりガイドがトリマー刃に対して相対的にフロート自在に支持されたので、トリマー刃がフロート自在なので肌当たりが良好であると共にトリマー刃と肌当たりガイドとの最適な高さ関係が維持されて良好な毛の導入が常に得られるために短く剃ることができるものであり、肌面にトリマー刃を当てたときの衝撃が肌当たりガイドによって和らげられるために刺激がなく肌当たりも良くすることができるものである。
【００２３】
請求項２の発明は、請求項１においてトリマー刃がフロート自在とされ、肌当たりガイドがトリマー刃に相対的にフロート自在に支持され、トリマー刃のフロート力より肌当たりガイドのフロート力を小さくしてあるので、請求項１の効果に加えて肌当たりガイドによって毛の導入が悪くなることがないために肌面の凹凸や傾斜に関係なく剃り残りなく短く剃ることができるものである。
【００２４】
請求項３の発明は、請求項１において肌当たりガイドが所定の高さまでフロートした後、トリマー刃がそれに追随して一体にフロートするものであるので、請求項１の効果に加えて肌面の凹凸にもトリマー刃が追従するために剃り残しがなく、効率良く毛を剃り上げることができるものである。
請求項４の発明は、請求項１において肌当たりガイドのフロート力は弾性を有するフックで付与されるものであるので、請求項１の効果に加えて構造が簡単で組み立て易いものとすることができるものである。
【図面の簡単な説明】
【図１】本発明の一例を示す斜視図である。
【図２】同上の平面図である。
【図３】同上の上部の側断面図である。
【図４】上部の一部破断した正面図である。
【図５】上部の分解斜視図である。
【図６】駆動子と連結駆動子を示す斜視図である。
【図７】トリマー刃と肌当たりガイドの作用を示す部分拡大断面図である。
【図８】トリマー刃と肌当たりガイドの作用を示す部分拡大断面図である。
【図９】トリマー刃と肌当たりガイドの作用を説明する説明図である。
【図１０】トリマー刃と肌当たりガイドの作用を説明する説明図である。
【図１１】トリマー刃と肌当たりガイドの作用を説明する説明図である。
【図１２】トリマー刃と肌当たりガイドの作用を説明する説明図である。
【符号の説明】
１  主刃
２  トリマー刃
３  肌当たりガイド
３ａ  フック
【図１】
0003557779.tif 000002
【図２】
0003557779.tif 000003
【図３】
0003557779.tif 000004
【図４】
0003557779.tif 000005
【図５】
0003557779.tif 000006
【図６】
0003557779.tif 000007
【図７】
0003557779.tif 000008
【図８】
0003557779.tif 000009
【図９】
0003557779.tif 000010
【図１０】
0003557779.tif 000011
【図１１】
0003557779.tif 000012
【図１２】
0003557779.tif 000013